(57)【要約】【課題】構成が簡単で、安価で、脚環への取り付けが簡単であるがその取り外しは容易ではなく、しかも、確実に且つ容易に個々の鳥類の識別が可能であると同時に、レースに関する情報或いは記録を誤り無く受信し記憶し又送信が可能であり、不正使用を確実に防止出来る脚環用結束バンド及び脚環構造体を提供する。【解決手段】本体部２、本体部２の一方の端部に設けられた挿入端部３、本体部２の他方の端部に設けられており、且つ中空状の挿入通路部２５を有し、挿入端部３が挿入通路部２５内に不可逆的に挿入され且つ保持される係合保持部４及び当該本体部２の一部であって、本体部２の中央部分Ｃと挿入端部３との間の位置に設けられている、所定の情報を記憶しうると共に情報の受発信が可能である情報処理部７とから構成されている脚環用結束バンド１。【選択図】図１
0003126324.tif 000002
【実用新案登録請求の範囲】
【請求項１】
所定の長さと幅を有する細幅帯状体若しくは線状体から構成された本体部、
当該本体部の一方の端部に設けられた挿入端部、
当該本体部の他方の端部に設けられており、且つ中空状の挿入通路部を有し、当該挿入端部が当該挿入通路部内に不可逆的に挿入され且つ保持される係合保持部、及び
当該本体部の一部であって、当該本体部の中央部分と当該挿入端部との間の位置に設けられている、所定の情報を記憶しうると共に当該情報の受発信が可能である情報処理部、
とから構成されている事を特徴とする脚環用結束バンド。
【請求項２】
当該本体部の長さは、脚環の高さの少なくとも２倍、好ましくは少なくともその２．２倍である事を特徴とする請求項１に記載の脚環用結束バンド。
【請求項３】
当該本体部の断面は、扁平、円形、楕円形、矩形或いはそれらの変形形状から選択された１つの断面形状を有している事を特徴とする請求項１又は２に記載の脚環用結束バンド。
【請求項４】
当該本体部の見かけ上の幅は、５ｍｍ以下である事を特徴とする請求項１乃至３の何れかに記載の脚環用結束バンド。
【請求項５】
当該挿入通路部内に設けられた当該係合保持部には、ストッパー部が設けられており、且つ当該挿入端部には当該ストッパー部と不可逆的に係合する係止部が設けられている事を特徴とする請求項１乃至４の何れかに記載の脚環用結束バンド。
【請求項６】
当該本体部、当該挿入端部及び当該係合保持部は合成樹脂により一体的に成型されている事を特徴とする請求項１乃至５の何れかに記載の脚環用結束バンド。
【請求項７】
当該本体部が脚環の表裏側壁部を挟み込む様に折り曲げられて当該脚環に固定される事を特徴とする請求項１乃至６の何れかに記載の脚環用結束バンド。
【請求項８】
当該情報処理部は、アンテナ部と所定の情報を記憶する記憶部と当該所定の情報を当該アンテナ部を介して受信し或いは所定の情報を当該アンテナ部を介して外部に送信する送受信回路部と当該回路部の操作を制御する制御手段とから構成されている事を特徴とする請求項１乃至７の何れかに記載の脚環用結束バンド。
【請求項９】
当該情報処理部は、発信機付きメモリ内蔵型ＩＣチップで構成されている事を特徴とする請求項１乃至８の何れかに記載の脚環用結束バンド。
【請求項１０】
当該情報処理部は、当該脚環用結束バンドが脚環に取り付けられた場合に、当該脚環の外部壁面から見て当該本体部よりも外方側に位置するように当該本体部に取り付けられている事を特徴とする請求項１乃至９の何れかに記載の脚環用結束バンド。
【請求項１１】
当該本体部に於ける当該係合保持部との接合部近傍が屈曲状に形成されており、当該係合保持部と当該本体部との間で当該脚環の上端縁部若しくは下端縁部の少なくとも一部を狭持できる様に構成されている事を特徴とする請求項１乃至１０の何れかに記載の脚環用結束バンド。
【請求項１２】
当該本体部の略中央部分で、当該情報処理部が搭載されていない部分の少なくとも一部が屈曲状若しくは湾曲状に形成されている事を特徴とする請求項１乃至１０の何れかに記載の脚環用結束バンド。
【請求項１３】
請求項１乃至１２の何れかに記載された脚環用結束バンドが結束される脚環であって、当該脚環の上端縁部若しくは下端縁部の少なくとも一方、或いは当該脚環の外壁部若しくは内壁部の少なくとも一方に於ける少なくとも一部に当該結束バンドの当該本体部の少なくとも一部が嵌合出来る溝部が設けられている事を特徴とする脚環。
【請求項１４】
脚環に請求項１乃至１２の何れかに記載された脚環用結束バンドが結束されている脚環構造体。
【考案の詳細な説明】
【技術分野】
【０００１】
本考案は、鳥類の足に装着される脚環に取り付ける脚環用結束バンド及び当該脚環と当該脚環用結束バンドとの組み合わせからなる脚環構造体に関するものである。
【背景技術】
【０００２】
従来から、鳩等の鳥類の個々を識別する為に、鳥類の足に特定の識別番号が表示された脚環（足環と称される場合もある）を装着し、かかる識別番号を目視で確認することにより個々の鳥類の確認を行ってきている。
つまり当該脚環は、当該個々の鳥類の戸籍を表すものとして位置づけられてきており、従来より国際的に使用されて来ている。
【０００３】
係る脚環は、国際的な規格に基づいて形成されており、基本的には、例えばアルミニウム等の軽量な金属或いは合成樹脂等で中空状の円筒形に形成されており、その外径は１０ｍｍ、高さが１０ｍｍ、内径が８ｍｍとなっている。
そして当該脚環の該表面には、例えば、国名、年号、及び当該年号に於ける連続番号等が記載されるものであって、当該個々の鳥類に一生付いて廻る個別の情報であると同時に当該情報は国際的にも登録されることになっている。
【０００４】
当該脚環は、通常、当該鳥類が生まれると生後８日目までに装着され、その成長とともに外れなくなり、当該鳥類が死ぬまで当該脚環が外れる事はない。
特にレース用の鳩の場合では、約８年がレース参加可能寿命とされている。
処で、鳩の様に鳥類に所定のレースを行わせる場合には、レースの記録を採る必要から、従来、以下のような手段がとられていた。即ち、
【０００５】
（１）当該レースを特定できる印字されたゴム輪を装着した鳩が、レースから帰還した際、それが取り外され、記録計時に打刻される。ところがこの方法だと、鳩がレースから帰還した際、飼育者がこれを捕獲、ゴム輪を抜き去って後記録という一連の動作が入る為、時間的ロスが大きいとか、耐久性に欠けており、更に汚損識別困難などという欠点があった。そこで従来の方式に加えて、現在では、
【０００６】
（２）当該個々の鳩を識別出来るメモリーを内蔵した識別脚環を、当該脚環とは別の脚に嵌め、鳩が当該レースから帰還した際、帰還鳩舎入り口に設置したアンテナでこれを感知、記録するという方式も併用採用されている。
【０００７】
ところが、この場合でも、鳩にふたつの脚環を嵌めなくてはならないという点から生ずる、コスト、重量面での負担増（世界市場では、例え０．１グラムでも軽い脚環が喜ばれる。又現在の識別脚環の価格も、例え１円でも廉価なものが求められる）という問題点がある。
【０００８】
又、鳩レースの際にこのメモリー内蔵識別脚環を着脱出来ることから生ずる、不正を防止出来ないという問題点があった。
更に、従来の鳥の個体識別は以上のよう目視を前提として行われていたので、識別番号の目視確認に際して、鳥の汚物が身体に付着したり、識別番号を読み取るのに多大な時間がかかったり、識別番号の読み間違いが発生したりするという問題点があった。また、鳩レースのように鳩にレースを行わせる場合、鳩の足への別の識別具の装着、当該識別具の取外し、到着時刻の記録、及び順位の決定を全て手作業で行っているので、多大な労力と時間がかかるという問題点があった。また、鳩レースの際に於ける当該別の識別具の付け替えなどによる不正を防止できないという問題点があった。
【０００９】
更に、鳩レースは、高温下或いは低温下若しくは温度差の激しい環境下に行われる事が多く、更に、雨や雪等が関係する場合も多いので、当該別の識別具が破損し脱落したり、当該識別番号等の標識が消失したりする事も多く、当該鳩レースに関する所定の情報を得る事が出来ない場合も多発している。
【００１０】
かかる従来の問題点を解決する為に、従来では、例えば、実用新案登録第３０７９９１４号公報（特許文献１）に示す様に、正規の脚環に替えて、環状体の一部を分離してはめ込み挿入自在に構成した鳩用の私製環の構造が示されているが、かかる構造は複雑で、コストが高くなる他、取り外しが可能な構成となっているので、後日他の鳩に付け替える事が可能であることから不正使用を防止出来ないと言う問題があり、更に、当該私製環に記載されている識別番号等の標識を読み出す場合の従来の問題点は全く改良されていないのである。
【００１１】
一方、特開２００２−３６０１０３号公報（特許文献２）には、上記した（２）に示す従来の方法の例を示すものであって、鳩脚環そのものに予めマイクロチップを内蔵させておき、当該脚環に別途形成した鳩脚環持ち主表示プレートをはめ込み式で当該脚環に装着する様に構成された脚環と表示プレートとが組み合わされた構造が開示されている。
【００１２】
然しながら、当該脚環そのものにマイクロチップを内蔵させる事は、当該マイクロチップが不良品であったり、当該脚環を使用中に当該マイクロチップが故障した場合には、当該脚環を取り替える事は禁じられているので、その後の鳩レース等に於いて必要な情報が得られなくなると言う大きな欠点を有しており、又表示プレートはシンプルな嵌合嵌め込み構成であるので、構造全体が大きく且つ複雑となり、更に使用中脱落する可能性が大きく、又取り外しが容易であるため不正使用される可能性が大きいと言う問題があった。
【００１３】
又、特開平７−１５４２９０号公報（特許文献３）には、当該脚環そのものにアンテナ部と制御部とが予め内蔵されている構成と、従来の正規の脚環に外付けでアンテナ部と制御部を取り付ける構成とが示されている。
【００１４】
特に前者に関しては、特許文献２で指摘したと同様の問題点を含むものであり、又後者に関しては、図２による外付けされるアンテナ部と制御部を含む応答器保持体は、単につめ部でのみ当該脚環と係合させるものであるので、取り外れ易く、鳩レース中に脱落する可能性が大きいと言う問題があると同時に不正使用される危険性が極めて高いと言う問題があり、又図３による外付けされるアンテナ部と制御部を含む応答器保持体は、当該脚環の上下端縁部に嵌合する腕部を有しているので構成が複雑でコストが高くなると同時に、嵌め込み式である以上取り外しも容易であるから不正使用される危険性も高いと言う問題がある。
【００１５】
その他、実用新案登録第３０６７０６６号公報（特許文献４）に示す様に、正規の脚環を磁気を発する材料で形成し且つ当該脚環の表面に目視により識別可能な標識を印字した脚環の例が示されているが、当該特許文献４には当該脚環から発生する磁気を具体的に如何に利用するのかに関しては全くの開示も示唆も見られない。
【００１６】
又、特開平７−３１３１８号公報（特許文献５）には、取り付け動物への装着部位や方向が特定されておらず、現実に鳩の脚部に取り付ける場合、これを締めると鳩の脚部の血行を阻害し、緩めると外れ易いなどの問題も有るが、より以上問題なのは、鳩レースの場合、ベルト部のみ切断し、再度別のベルトで装着出来ることから不正使用が可能であるという点である。
【００１７】
【特許文献１】実用新案登録第３０７９９１４号公報
【特許文献２】特開２００２−３６０１０３号公報
【特許文献３】特開平７−１５４２９０号公報
【特許文献４】実用新案登録第３０６７０６６号公報
【特許文献５】特開平７−３１３１８号公報
【考案の開示】
【考案が解決しようとする課題】
【００１８】
従って、本考案の目的は、上記した従来に於ける鳥類に使用される脚環での問題点を解消し、構成が簡単で、安価で、当該脚環への取り付けが簡単であるがその取り外しは容易ではなく、しかも、確実に且つ容易に個々の鳥類の識別が可能であると同時に、レースに関する情報或いは記録を誤り無く受信し記憶し又送信が可能であり、それによってレースに関するデータを短時間で確実に確認できる結果、レースに於ける記録の集計等の演算処理を高速化出来るばかりでなく、不正使用を確実に防止出来る脚環用結束バンド及び脚環構造体を提供するものである。
【課題を解決するための手段】
【００１９】
本考案は、上記目的を達成するために、以下に示す様な基本的技術構成を採用するものである。
即ち、本考案に係る脚環用結束バンドは、所定の長さと幅を有する細幅帯状体若しくは線状体から構成された本体部、当該本体部の一方の端部に設けられた挿入端部、当該本体部の他方の端部に設けられており、且つ中空状の挿入通路部を有し、当該挿入端部が当該挿入通路部内に不可逆的に挿入され且つ保持される係合保持部及び当該本体部の一部であって、当該本体部の中央部分と当該挿入端部との間の位置に設けられている、所定の情報を記憶しうると共に当該情報の受発信が可能である情報処理部とから構成されている事を特徴とする脚環用結束バンドであり、又当該脚環用結束バンドを当該脚環に搭載した脚環構造体である。
【考案の効果】
【００２０】
本考案に於ける当該脚環用結束バンド及び当該脚環構造体は、上記した様な技術構成を採用しているので、構成が簡単で、安価で、当該脚環への取り付けが簡単であるがその取り外しは容易ではなく、しかも、確実に且つ容易に個々の鳥類の識別が可能であると同時に、レースに関する情報或いは記録を誤り無く受信し記憶し又送信が可能であり、それによってレースに関するデータを短時間で確実に確認できる結果、レースに於ける記録の集計等の演算処理を高速化出来るばかりでなく、不正使用を確実に防止出来る脚環用結束バンド及び脚環構造体が得られると言う効果を有するものである。
【考案を実施するための最良の形態】
【００２１】
以下に、本考案にかかる脚環用結束バンド及び脚環構造体の具体的な構成の例を図面を参照しながら詳細に説明する。
即ち、図１（Ａ）は、本考案にかかる脚環用結束バンド１の一具体例の構成を示す図であって、図中、所定の長さと幅を有する細幅帯状体若しくは線状体から構成された本体部２、当該本体部２の一方の端部に設けられた挿入端部３、当該本体部２の他方の端部に設けられており、且つ中空状の挿入通路部２５を有し、当該挿入端部３が当該挿入通路部２５内に不可逆的に挿入され且つ保持される係合保持部４及び当該本体部２の一部であって、当該本体部２の中央部分Ｃと当該挿入端部３との間の位置に設けられている、所定の情報を記憶しうると共に当該情報の受発信が可能である情報処理部７とから構成されている脚環用結束バンド１が示されている。
【００２２】
即ち、本考案にかかる当該脚環用結束バンド１は、従来国際規格で統一された外観形状を有する脚環３０に後付け的に容易に取り付けられる情報処理機能を有する結束バンドである。
上記した通り、レース用に使用される鳥類には何らかの識別番号（ＩＤナンバー）が与えられるものであり、当該識別番号は当該脚環３０の該表面に通常記載表示されることになっている。
【００２３】
特に、レース用の鳩（レース鳩）には、識別用脚環３０として、全ての鳩の足にその生まれた国の発行する国際規格の脚環で、当該鳩に指定された識別番号（ＩＤナンバー）を持つ脚環３０が生後８日目に迄に装着される事になっている。
係る脚環３０は、いわば当該鳩の戸籍にあたるものである。
【００２４】
処で、現在では、鳩レースが一般化されてきており、上記したとおり、現在では、当該レース目的で例えば発信機付きのメモリーを内蔵したＩＣチップ等を含むリング或いは識別具が、当該脚環３０が装着された当該鳩の脚とは反対の脚に装着され、レースに参加することになる。
かかる発信機付きのメモリーを内蔵したＩＣチップ等を含むリング或いは識別具は、原則として、当該レース鳩が生後５ヶ月迄に取り付けるのが一般的である。
【００２５】
その際、カップリングと称して、後で装着された当該リング或いは識別具内のメモリー部に、当該レース鳩の脚環３０に記録されている当該レース鳩のＩＤナンバーの他、後で装着する当該リング或いは識別具に関するシリアル・ナンバーが通常書き込まれ、更には所定のレース毎に当該レース番号や当該レース毎に設けられる当該レース鳩の秘密コード等が当該メモリー部に書き込まれる。
【００２６】
尚、当該発信機付きのメモリーを内蔵したＩＣチップ等を含むリング或いは識別具は、鳩レースの主催者側が提供する、国際規格で統一されている当該鳩レース関連情報収集処理システムと通信する事が可能な様に構成されており、それによって、例えば、当該鳩レース関連情報収集処理システムから発信される質問信号に応答して、当該メモリーに内蔵されている各種情報の中から、質問された情報を当該システムに送信する事が可能な様に構成されているものである。
【００２７】
処で、本考案に係る当該脚環用結束バンド１に於ける当該本体部２の長さは、特に限定されるものではないが、国際的に規格が統一されている当該脚環３０の高さの少なくとも２倍、好ましくは少なくともその２．２倍である事が望ましい。
又、当該本体部２は細幅帯状体若しくは線状体で構成されておりその断面は特に限定されるものではないが、当該脚環３０との安定性を考慮すると、その断面形状は、扁平形、円形、楕円形、矩形或いはそれらの変形形状から選択された１つの断面形状を有している事が望ましい。
【００２８】
更に、本考案に於ける当該本体部２の見かけ上の幅は、５ｍｍ以下である事が望ましい。
本考案に於いては、当該脚環用結束バンド１を当該脚環３０に取り付ける時点は、上記した通り、当該レース鳩の生後５ヶ月以内であるので、当該レース鳩の脚部の太さは、未だ細い状態にあるので、当該脚環３０の内部周壁と当該レース鳩の脚との間には空間が存在している状態ではあるが、挿入操作を容易にするためには、出来るだけ細くする事が好ましい。
【００２９】
尚、図１に於ける、当該本体部２の略中央部Ｃの両側に形成された領域１２及び１３は、互いに略同じ長さに設定されており、その長さは、それぞれ当該脚環３０の高さに略等しいかそれよりも若干長くなる様に設定される事が望ましい。
【００３０】
当該本体部２の当該領域１２は、後述するとおり、当該脚環３０の内壁面に沿って当該脚環の上端部平面に対して略垂直に配置される部分であり、又当該本体部２の当該領域１３は、後述するとおり、当該脚環３０の外壁面に沿って略垂直に配置される部分であり且つ当該本体部２の当該脚環３０の外壁面に対向する部分と反対側の面には、上記した情報処理部７が搭載されているものである。
【００３１】
更に、本考案に於ける当該本体部２の中央部Ｃを含む領域１４は、図１（Ｂ）に示す様に、当該脚環用結束バンド１の当該脚環３０への取り付け操作を容易にするために、適宜の成型加工により屈曲状或いは湾曲状１６に形成させておく事も好ましく、場合によっては、当該領域１４の厚み或いは幅を他の本体部２の幅或いは厚みよりも細く或いは薄く形成しておくことも望ましい。
【００３２】
一方、本考案に於ける当該本体部２の当該係合保持部４に近接した領域１１は、図１（Ｂ）及び図４に示す様に、当該脚環用結束バンド１と当該脚環３０との係合状態を安定化させる為に、当該係合保持部４を当該係合保持部４の長手方向の中心軸線Ｏが当該本体部２の長手方向の中心軸線Ｐと略並行状態となるように当該領域１１を屈曲或いは湾曲１５させる事が望ましい。
【００３３】
その為、当該領域１１の厚み或いは幅を他の本体部２の幅或いは厚みよりも細く或いは薄く形成しておくことも望ましい。
本考案に於いては、図１（Ａ）に示す様に当該本体部２が直線状になる様に金型により成型した後、適宜の治具を使用して当該屈曲部或いは湾曲部１５或いは１６を加熱成型によって所定の屈曲状部或いは湾曲状部に成型するものであっても良く、或いは、金型そのものに当該本体部２の屈曲部或いは湾曲部を形成する様な構成を採用するものであっても良い。
【００３４】
即ち、本考案に於いては、当該本体部２が脚環３０の表裏側壁部を挟み込む様に折り曲げられて当該脚環３０に固定される構造を有している事が望ましい。
又、本考案に於ける当該挿入端部３は、当該本体部２の一方の端部から当該本体部２の長手方向の中心軸線Ｐに沿って外方に所定の長さ延展して形成されており、その長さは特に特定されるものではないが、後述する様に、当該挿入端部３を当該係合保持部４の挿入通路部２５内に挿通させる操作を容易にする為に、当該係合保持部４の中心軸方向の長さの少なくとも２倍、好ましくは少なくとも３倍である必要がある。
【００３５】
更に、当該挿入端部３はその幅或いは厚みは、当該本体部２の幅或いは厚みよりも短いか薄く構成されている事が望ましい。
本考案に於ける当該挿入端部３には、当該係合保持部４の挿入通路部２５内に設けられたストッパー部５と不可逆的に係合する係止部６が設けられている。
【００３６】
本考案に於いて使用される当該ストッパー部５と係止部６の形状或いは構造は特に限知されるものではなく、当該挿入端部３が当該係合保持部４の当該挿入通路部２５に設けられた当該ストッパー部５を通過して容易に挿入可能であるが、それを引き戻す事が不可能なような構造であれば如何なる構造のものでも採用可能である。
【００３７】
図１の具体例としては、鋸刃状の係止部６が当該挿入端部３に設けられており、これに対応する鋸刃状のストッパー部５が当該挿入通路部２５内に設けられている例が示されている。
一方、図２に於ける具体例では、鋸刃状の係止部６が当該挿入端部３に設けられており、これに対応した斜めＬ字状をしたストッパー部５が当該挿入通路部２５内に設けられている例が示されている。
【００３８】
又、図３に於ける具体例では、スカート状のブレード部からなる係止部６が当該挿入端部３に設けられており、これに対応して円形状の開口部を持つ円盤状をしたストッパー部５が当該挿入通路部２５内に設けられている例が示されている。
本考案に於ける当該脚環用結束バンド１は、上記した当該本体部２、当該挿入端部３及び当該係合保持部４が適宜の合成樹脂、例えば、ナイロン樹脂、ポリエステル樹脂、ポリプロピレン樹脂、ポリウレタン樹脂、ポリカーボネート樹脂等の公知の合成樹脂或いは機能性樹脂（エンプラ）を使用して一体的に成型されている事が好ましい。
【００３９】
次に、本考案に於いては、当該本体部の一部である当該領域１３に、情報処理部７が設けられているものである。
当該情報処理部は、上記した通り、当該脚環３０の外表面に対して直接接触しない様な向きに当該本体部２に搭載される事が望ましい。
【００４０】
つまり、当該情報処理部７は、当該脚環用結束バンド１が脚環３０に取り付けられた場合に、当該脚環３０の外部壁面から見て当該本体部２よりも外方側に位置するように当該本体部２に取り付けられている事が望ましい。
【００４１】
更に、本考案で使用される当該情報処理部７は、コイルを含むアンテナ部８と所定の情報を記憶する記憶部９と当該所定の情報を当該アンテナ部８を介して受信し或いは所定の情報を当該アンテナ部８を介して外部に送信する機能を有する送受信回路及び当該回路の駆動を制御する制御手段１０とから構成されている事が望ましい。
【００４２】
具体的には、図６に示す様に、例えば、コイルからなるアンテナ部８にＣＰＵ４０並びに送受信回路（図示せず）等を含む制御回路１０が接続され、又当該制御回路１０には、随時書き込み読み出しが可能であるＲＡＭ等で構成された記憶部９が接続されており、当該ＣＰＵ４０による制御回路１０の演算処理によって、当該送受信回路を駆動させて外部から送信される所定の情報を当該記憶部９に格納する事が可能であり、又外部からの質問信号に応答して当該記憶部９に格納されている情報の中から要求された情報を読み出して外部に送信する事が可能な様に構成されている。
【００４３】
即ち、本考案では、当該情報処理部７は、発信機付きメモリ内蔵型ＩＣチップで構成されている事も望ましい。
本考案では、当該情報処理部７は、厚みが１乃至２ｍｍ程度で幅及び長さが数ｍｍ程度の極めて小さいＩＣチップに形成されていることも好ましい。
【００４４】
本考案に於ける当該情報処理部７が送受信の指示を受ける外部システムは、上記した様に、鳩レース主催者側が用意した予め規格設定されている通信システムを含んでいる。
一方、当該本体部２の所定の部位、つまり上記した領域１３に当該情報処理部７を搭載させる構成或いは方法は、特に限定されるものではないが、当該極小の情報処理部７を融着或いは接着若しくは嵌め込み等の手段を用いて搭載する事が可能である。
【００４５】
より具体的には、図５（Ｂ）に示す様に、当該本体部２に於ける当該情報処理部７を搭載する部分の幅をその他の当該本体部２の部分よりも広くするか、或いはその部分の厚みを厚くしてその部分に溝部或いは凹陥状部を形成しその部分に当該情報処理部７を搭載するようにしたものであっても良い。
【００４６】
更に、本考案では、当該本体部２に当該情報処理部７を搭載するに際し、取り付け部の補強或いは外気、水等の浸入を防止する為に、図５（Ａ）に示す様に、当該取り付け部の基部周辺部を適宜のシール材２０で被覆するか若しくはその全体を適宜のシール材２１で完全に被覆する様に構成することも望ましい。
【００４７】
本考案に於いて、当該脚環用結束バンド１を当該脚環３０に取り付ける場合には、先ず、当該脚環用結束バンド１の当該挿入端部３を当該脚環３０とレース鳩の脚部との間の空間部を介して挿通貫通させ、当該脚環３０を貫通した当該挿入端部３を当該係合保持部４の方向に曲げて移動させて当該係合保持部４の一方の端部から当該挿入通路部２５内に挿入させ、図４（Ａ）に示す様に、当該挿入端部３の先端部を当該係合保持部４の当該挿入通路部２５の他方の端部から引き出して固定する。
【００４８】
これによって、当該脚環用結束バンド１は確実に当該脚環３０に固定され外れる事は無い。
この際、図４（Ｂ）に示す様に、当該係合保持部４の反対側の当該挿入通路部２５の端部から突出している当該挿入端部３の先端部分を例えば１７の部分で切断する事によって使用時の不便さが解消されると同時に不正使用に対する安全性も向上する。
【００４９】
従って、例えば、当該挿入端部３の当該１７の部分を容易に切断可能となるように切れ目を設けておくか厚みを薄くしておく事も望ましい。
一方、本考案で使用される脚環３０は、図７に示す様に、当該脚環用結束バンド１が取り付けられた場合に、当該脚環用結束バンド１が当該脚環３０上で安定して配置されるために、当該脚環３０の上端縁部若しくは下端縁部の少なくとも一方に当該本体部２が保持されうる凹み部或いは溝部３１、３２が設けられることが望ましく、或いは当該脚環３０の外壁部若しくは内壁部の少なくとも一方に於ける少なくとも一部に当該本体部２の少なくとも一部が嵌合保持されうる凹み部或いは溝部３３、３４が設けられている事も望ましい。
【００５０】
勿論、上記した各凹み部或いは溝部を併用して設ける事も可能である。
本考案に於いては、当該記憶手段９に記憶される情報は、特に限定されるものではなく、当該記憶手段９の容量に応じて決定する事が可能であり、又必要とされる情報の量によって記憶容量の大きい記憶手段９が選択されるべきである。
【００５１】
具体的には、例えば、鳩レースを開催する場合には、通常９桁の個々のレース鳩の識別番号（即ち当該鳩が生まれて直ぐに割り当てられている所謂ＩＤナンバー）、当該記憶手段９を含む情報処理手段７のシリアルナンバー、特定の鳩レースのレース名、当該レース用の秘密コード、当該レース鳩の所有者名、或は所属クラブ名等の情報が記憶されるものである。
【００５２】
上記した様に、それぞれの鳩に関する識別番号は、当該鳩の生存中は固定されるものであるので、当該識別番号は、書き換え不可能な記憶手段例えばＲＯＭで構成された記憶手段を使用する事が望ましい。
又、上記した情報処理手段７のシリアルナンバーも同様にＲＯＭで構成された記憶手段に記憶させておく事が望ましい。
【００５３】
その他の上記情報は、書き込み、消去、読み出しが何れも可能例えばＲＡＭ等で構成された記憶手段を使用する事が望ましい。
上記した２つの情報は、当該脚環用の結束バンド１が当該脚環３０に取り付けられる時点で当該記憶手段９に記憶させるものである。
【００５４】
そして、鳩レースが実行される直前までに、当該情報処理装置７の当該記憶手段９内に、上記した全ての情報を記憶させ、当該鳩レース中に、所定レース鳩がゴール地点に到着した際に、主催者側で用意した通信処理装置（図示せず）から当該個々の鳩が携帯する当該情報処理部７に質問信号を送信し、当該情報処理部７は、当該アンテナ８で受信した当該質問信号を当該制御装置１０により解析し、当該質問信号に応答して、当該質問信号で要求された情報、例えば、当該レース鳩の識別番号、シリアルナンバー、鳩レースのレース名、レース用の秘密コード、出発時間、帰還時間、当該レース鳩の所有者名、或は所属クラブ名等の情報を当該情報処理装置に送信する。
【００５５】
係る応答信号に基づいて、当該通信処理装置は、個々のレース鳩の到着時間を確認して出発地点からの飛行時間を自動的に算出してその情報を記録することになる。
本考案に係る当該脚環用結束バンド１は、当該レース鳩の脚環３０に当該鳩齢如何にかかわらず何時でも取り付けする事が出来るが、基本的には、上記したとおり、当該鳩が生まれてから５ヶ月以内に取り付ける事が望ましい。
【００５６】
そして、本考案に係る当該脚環用結束バンド１は、生鳩に既に装着されている当該脚環３０に対してその外部の縦方向に当該本体部２が配列される様に巻きつけて結束し、それによって当該情報処理部７が、当該レース鳩が通常立ち姿でいる場合に、地面或は着陸台に対して垂直方向になるように装着する事が望ましい。
係る取り付け方を採用する事によって、当該情報処理部７が当該鳩の糞等で汚染される事が少なくなる。
【００５７】
一方、本考案係る当該脚環用結束バンド１は、一端当該脚環に取り付けられると当該本体部２の先端部にある挿入端部３は、当該係合保持部４から抜け出せない様に構成されているので、使用中に破損するか故意に切断しない限り当該脚環３０から取り外される事はなく、従って、既に使用中の当該脚環用結束バンド１が故意に外されて別のレース鳩の脚環に再度取り付けられる様な不正行為を防止出来る。
【００５８】
つまり、本考案に係る当該脚環用結束バンド１は、上記した様に簡単に当該脚環３０に取り付けが可能であるが、取り外しには、当該脚環用結束バンド１の本体部２の一部をカッター等を使用して切断することになる。
係る本体部２が切断された当該脚環用結束バンド１は最早当該脚環に巻きつける事は不可能であるので、当該脚環用結束バンド１に記憶された情報が他の鳩に利用される様な不正行為等は完全に防止出来る。
【００５９】
つまり、本考案に係る当該脚環用結束バンド１は、常に新しい製品のみが実用に供されるのである。
即ち、本考案に係る当該脚環用結束バンド１は、簡単に装着操作が実行でき、且つ情報処理が容易に行えると言う利便性を備えながら、鳩レースの不正を防止出来る等の優れた効果を発揮できる。
【００６０】
尚、本考案に於いては、レース鳩の所有者が変わったり、異なるシステムの発信機付きメモリー内蔵ＩＣチップを搭載する脚環用結束バンド１が使用される様な場合には、意識的に当該脚環用結束バンド１の本体部２を切断して新たな発信機付きメモリー内蔵ＩＣチップを搭載する脚環用結束バンド１と交換する事は可能である。
【００６１】
尚、現段階では、当該鳩レースに使用される当該情報処理装置に於いては、国際規格として特定の周波数が規定されており、従って、本考案に於ける当該情報処理部７に於ける当該アンテナ部８及び演算処理装置としてのマイクロコンピュータ４０を含む当該制御部１０は、当該周波数に対応する規格を内蔵している事が望ましく、例えば、フィリップス社製の『ハイタグー２』（Ｈｉｔａｇ２）を使用することが一般的である。
【００６２】
尚、本考案に係る当該脚環用結束バンド１の製造方法の一例を図８を参照して説明するならば、本考案に係る当該脚環用結束バンド素子１００を複数個横方向に密接して連続的に並列配置した形のシート状部１０２を適宜の金型で形成する。
【００６３】
この際、当該連続して隣接配置された係合保持部４同士の側面部を適宜の連接部１０１で連接すると共に、当該挿入端部３の先端部に適宜の太さを有する連結バー部２７を配置し、当該挿入端部３の先端部と当該連結バー部２７との間に適宜の長さの連結部２６を配置して当該挿入端部３の先端部を固定状態に構成する。
【００６４】
係る構成とする事によって、当該シート状部１０２を後工程まで安定して搬送する事が可能となる。
そして、個々の当該本体部２の領域１３の部位に適宜の構造を有する情報処理部７を適宜のロボット装置等を利用して加熱処理或は接着処理等を併用して搭載処理する事により本考案係るに脚環用結束バンド１が完成する。
【００６５】
更に要すれば、図８により得られた本体部素子のそれぞれの本体部２に於ける領域１１及び又は領域１４の部分を適宜の治具或は金型を利用して個別的若しくは複数の当該本体部素子を同時に図１（Ｂ）に示す様に湾曲状に成型固定する事も望ましい。
【図面の簡単な説明】
【００６６】
【図１】図１は、本考案に係る脚環用結束バンドに於ける一具体例の構成を示す図である。
【図２】図２は、本考案に係る脚環用結束バンドを脚環に取り付ける方法の一例を示す斜視図である。
【図３】図３は、本考案に係る脚環用結束バンドを脚環に取り付ける方法の他の例を示す斜視図である。
【図４】図４は、本考案に係る脚環用結束バンドを脚環に取り付けた状態を示す断面図である。
【図５】図５は、本考案に係る脚環用結束バンドに情報処理部を取り付ける場合の構成例を示す図である。
【図６】図６は、本考案に係る情報処理部の構成例を示すブロック図である。
【図７】図７は、本考案に係る脚環の好ましい構造例を示す斜視図である。
【図８】図８は、本考案に係る脚環用結束バンドの製造方法の一具体例を示す図である。
【符号の説明】
【００６７】
１  脚環用結束バンド
２  本体部
３  挿入端部
４  係合保持部
５  ストッパー部
６  係止部
７  情報処理部
８  アンテナ部
９  記憶部
１０  制御手段
２０、２１  シール材
２５  挿入通路部
２６  連結部
２７  連結バー部
３０  脚環
３１、３２、３３、３４  凹み部或いは溝部
４０  マイクロコンピュータ
１００  脚環用結束バンド素子
１０１  連接部１０１
１０２  シート状部
【図１】
0003126324.tif 000003
【図２】
0003126324.tif 000004
【図３】
0003126324.tif 000005
【図４】
0003126324.tif 000006
【図５】
0003126324.tif 000007
【図６】
0003126324.tif 000008
【図７】
0003126324.tif 000009
【図８】
0003126324.tif 000010